(57)【要約】      （修正有）【課題】単純かつ小型で、光源部の高さを自在に調節可能なスタンド型照明器具を提供する。【解決手段】照明器具のアーム部２を、台部３に連結された伸縮可能な伸縮部５と、光源部１に連結された屈曲可能かつ屈曲後の形状を維持可能な屈曲部４と、伸縮部の内部に設けられた螺旋状の配線コード６とを有する構成とする。【選択図】図１
0003191953.tif 000002
【実用新案登録請求の範囲】
【請求項１】
光源を有する光源部と、光源部に連結されたアーム部と、アーム部を支持する台部とを備えたスタンド型照明器具であって、
前記アーム部は、台部に連結された伸縮可能な伸縮部と、光源部に連結された屈曲可能かつ屈曲後の形状を維持可能な屈曲部と、伸縮部の内部に設けられた螺旋状の配線コードとを有する、前記照明器具。
【請求項２】
前記伸縮部が摺動可能な伸縮構造を有する、請求項１に記載の照明器具。
【請求項３】
前記光源が、白熱電球、蛍光灯、ＬＥＤまたは有機ＥＬである、請求項１または２に記載の照明器具。
【考案の詳細な説明】
【技術分野】
【０００１】
本考案は、高さ調節が可能なスタンド型照明器具に関する。
【背景技術】
【０００２】
高さ調節が可能なスタンド型照明器具として、従来、例えば特許文献１に開示されているような、折り畳みおよび回動が可能な可動アームを持つものが知られている。この照明器具は、可動アームを適宜調節することで、光源部の高さおよび水平方向位置を調節することができる。
【０００３】
特許文献２には、変形自在なアームを持つ照明器具が開示されている。この照明器具は、アームを適宜変形させることで、光源部の高さおよび水平方向位置を調節することができる。
【０００４】
特許文献３には、上下方向に摺動可能なアーム部材を持つ照明器具が開示されている。この照明器具は、アーム部材を摺動させることで、光源部の高さを調節することができる。
【先行技術文献】
【特許文献】
【０００５】
【特許文献１】特開２００３−０５９３３３号明細書
【特許文献２】特開２００６−１０７８５１号明細書
【特許文献３】特開２００２−３１３１０５号明細書
【考案の概要】
【考案が解決しようとする課題】
【０００６】
机上で用いられることが多いスタンド型照明器具では、光源部の高さを使用者が自在に調節できることが作業効率上好ましい。しかしながら、上述の特許文献１のような可動アームを持つ照明器具は、可動アームの構造が複雑で大きく、照明器具自体が大型になってしまうという問題があった。
【０００７】
また、特許文献２のような変形自在アームを持つ照明器具では、垂直方向にアームを伸長させると、その分、水平方向のアーム可動域が制限されることから、光源の位置を高く設定した場合に所望の水平方向位置の調節ができないという問題があった。アーム長を長く設定することで、この問題を解決することは可能だが、アームを長くした分、照明器具全体として大型化するという別の問題が生じていた。
【０００８】
さらに、特許文献３のような摺動可能なアーム部材を持つ照明器具の場合、配線コードの長さは、照明器具の最大高に合わせて設定される。このような照明器具では、照明器具の高さを低くした際に配線コードに余剰分が生じてしまうことから、余剰コードを収納する機構を別途設ける必要があり、構造が複雑化する原因となっていた。
【０００９】
したがって、本考案は、単純かつ小型で、光源部の高さを自在に調節可能な新たな照明器具を提供することを目的とする。
【課題を解決するための手段】
【００１０】
本考案者は、上記の課題を解決することができる照明器具の新たな構造を見出し、下記の各考案を完成させた。
【００１１】
（１）光源を有する光源部と、光源部に連結されたアーム部と、アーム部を支持する台部とを備えたスタンド型照明器具であって、
前記アーム部は、台部に連結された伸縮可能な伸縮部と、光源部に連結された屈曲可能かつ屈曲後の形状を維持可能な屈曲部と、伸縮部の内部に設けられた螺旋状の配線コードとを有する、前記照明器具。
（２）前記伸縮部が摺動可能な伸縮構造を有する、（１）に記載の照明器具。
（３）前記光源が、白熱電球、蛍光灯、ＬＥＤまたは有機ＥＬである、（１）または（２）に記載の照明器具。
【考案の効果】
【００１２】
本考案によれば、アーム部を上下方向に伸縮させることにより、光源部の高さを使用者の好みに応じて調節することができる照明器具が提供される。本考案の照明器具は、光源部の高さを低くした場合にも余剰の配線コードを収納する機構を設ける必要がないことから、構造を単純化、小型化することが可能である。さらに、本考案の照明器具は、屈曲部を合わせて有することから、水平方向位置や光源部の角度を調節することもできる。
【図面の簡単な説明】
【００１３】
【図１】本考案の一態様（収縮時）を示す図である。
【図２】本考案の一態様（伸長時）を示す図である。
【考案を実施するための形態】
【００１４】
本考案の実施の形態について、図面を参照しながら説明する。本考案の照明器具は、図１および図２にその一態様を示すように、光源部１と、光源部に連結されたアーム部２と、アーム部を支持する台部３とを備える。さらに、アーム部２は、光源部に連結された屈曲部４および台部に連結された伸縮部５から構成され、伸縮部５の内部に螺旋状の配線コード６が設けられる。配線コード６は伸縮部５の内部にあるため、伸縮部５が透明な材料で形成されている場合を除いて外部から視認することはできないが、図１および図２では便宜的に配線コード６を表示している。
【００１５】
光源部１は、光源となる白熱電球、蛍光灯、ＬＥＤまたは有機ＥＬなどを備える部分である。必要に応じて光源を覆うシェード等を設けることもできる。
【００１６】
アーム部２を構成する屈曲部４は、容易に変形可能で、かつ変形後の形状を維持することが可能な、例えばアルミニウム等のパイプを螺旋状に巻き付けた構造に形成したものである。屈曲部４はまた、変形後の形状を維持することが可能な樹脂等を用いて形成することもできる。
【００１７】
屈曲部４はまた、その内部に通電可能な構造を持つ部材を有しており、その通電可能部材の両端はそれぞれ光源部１に備えられた光源の配線および後述の伸縮部５内の配線コード６と接続される。この通電可能部材は、配線コード６と同じ部材であっても、他の通電可能部材であってもよい。
【００１８】
アーム部を構成する伸縮部５は、摺動可能な伸縮構造を有し、これによりアーム部の高さを調節して、光源部を使用者の好みの高さにすることができる。伸縮部５では、例えば、所望の長さまで摺動させた後、伸縮部５の外部に設けた締め付けリングにより締め付けて固定する部材や、ネジ等の係止具を用いて固定する部材を用いることができる。なお、本実施態様において、伸縮部５では摺動可能部材を用いているが、伸縮部５を伸縮可能な蛇腹構造とすることも可能である。
【００１９】
配線コード６は、外部電源と屈曲部４とを電気的に接続する螺旋形状のコードであり、伸縮部５の内部に設置される。配線コード６の長さは、端部からの引張力により螺旋形状が伸ばされたときの長さが伸縮部５の最大伸長時の長さと同程度になるように設定される。また、配線コード６は、端部からの引張力が存在しない場合の外寸が伸縮部５の収縮時の長さと同程度になるよう、螺旋の巻数が調整される。これにより、伸縮部５がどのような伸縮状態であっても、配線コードの長さに過不足が生じない。
【００２０】
台部３は、スタンド型照明器具を机上で安定した状態で設置できる台座構造を有する。別の態様では、台部３は机の縁部に固定するクランプ形状であることもできる。
【００２１】
次に、光源部の高さを調節する際の、本考案の照明器具の動作を説明する。図１は、光源部の高さを最も低く設定した場合の本考案の一態様を示す。伸縮部５は最も短い状態で固定されており、配線コード６は伸長していない。この場合、配線コード６の長さは伸縮部５よりも長くなっているが、その螺旋状形状のため、配線コード６の余剰部分はコンパクトに収納されている。
【００２２】
図２は、伸縮部５を伸長させて光源部の高さを上方に移動させた伸長状態の本考案の一態様を示す。伸縮部５は所望の長さまで上方に摺動させた後に固定され、内部の配線コード６も伸縮部５の伸長に応じて伸ばされた状態になるものの、配線コード６の全長は伸縮部５の最大長と同程度に設定されていることから、配線コードが引張力により破断することはない。
【００２３】
さらに上記収縮時、伸長時のいずれにおいても、屈曲部４は伸縮部５と独立して動かすことができることから、光源部１の高さにかかわらず、光源部１の水平方向位置や角度を自在に調節することができる。
【００２４】
なお、上記で説明した各部の接続部分、例えば屈曲部４と伸縮部５との接続部分および台部３と伸縮部５との接続部分は、それぞれ固定されていても、または回転可能に連結されていてもよい。回転可能に連結される場合には、回転によって通電可能部材および配線コードが許容範囲を超えてねじれたりまたは破断したりしないように、回転接続用コネクタまたは回転角度を一定角度以内に制御する構造と接続部分において使用することが好ましい。
【産業上の利用可能性】
【００２５】
本考案によると、構造が単純であり、光源部の高さを使用者の好みに応じて調節することができるスタンド式照明器具を安価に提供することができる。また配線コードが内部に収納されているため、照明器具としての美観を損なうこともない。
【符号の説明】
【００２６】
１  光源部
２  アーム部
３  台部
４  屈曲部
５  伸縮部
６  配線コード
【図１】
0003191953.tif 000003
【図２】
0003191953.tif 000004